(57)【要約】      （修正有）【課題】包装された状態で陳列、販売されている仏花を購入した消費者がそのまま仏壇等にお供えできるようにした仏花の包装用飾り紙を提供する。【解決手段】仏花を包む飾り紙であって、撥水性、又は、防水性を有した素材で形成され、仏花を包んだ際の正面に蓮、釈迦等の図柄や文字等が表示される図柄文字表示部４が設けられていることを特徴とする。又、金色の塗布層を設けることも可能である。又、長方形、正方形等の紙を筒状にして仏花が挿入されるものである。更に、前記飾り紙２は、仏花が挿入されるように予め筒型に形成されていることも可能である。【選択図】図１
0003144961.tif 000002
【実用新案登録請求の範囲】
【請求項１】
仏花を包む飾り紙であって、
撥水性、又は、防水性を有した素材で形成され、仏花を包んだ際の正面に蓮、釈迦等の図柄や文字等が表示される図柄文字表示部が設けられていることを特徴とする仏花の包装用飾り紙。
【請求項２】
金色であることを特徴とする請求項１に記載の仏花の包装用飾り紙。
【請求項３】
前記飾り紙は、長方形、正方形等の紙を筒状にして仏花が挿入されることを特徴とする請求項１又は請求項２に記載の仏花の包装用飾り紙。
【請求項４】
前記飾り紙は、仏花が挿入されるように予め筒型に形成されていることを特徴とする請求項１又は請求項２に記載の仏花の包装用飾り紙。
【考案の詳細な説明】
【技術分野】
【０００１】
本考案は仏花の包装用飾り紙に関し、特に、仏花の包装用、及び飾り用の双方に使用されることのできる仏花の包装用飾り紙に関するものである。
【背景技術】
【０００２】
特許文献１には、仏花等の包装容器に関する発明が記載されている。
【特許文献１】特開２００３−１７０９８１号公報
【考案の開示】
【考案が解決しようとする課題】
【０００３】
特許文献１には、予め束ねた仏花を販売店にそのまま輸送して販売できるようにした発明が記載されている。しかし、特許文献１には、包装された状態で陳列、販売されている仏花を購入した消費者がそのまま仏壇にお供えできるようにした発明は全く記載されていない上に、示唆されてもいない。
【０００４】
このため、従来においては、図７に示すように、仏花１００を包んでいた包装紙１０１を破って取り去り、仏花１００のみを仏壇の花立て１０２に立てることが一般的であった。
【０００５】
本考案は、前記背景技術の問題点に鑑みて成されたもので、その目的は、包装された状態で陳列、販売されている仏花を購入した消費者がそのまま仏壇等にお供えできるようにした仏花の包装用飾り紙を提供することにある。
【課題を解決するための手段】
【０００６】
請求項１に記載の考案は、仏花を包む飾り紙であって、
撥水性、又は、防水性を有した素材で形成され、仏花を包んだ際の正面に蓮、釈迦等の図柄や文字等が表示される図柄文字表示部が設けられていることを特徴とする仏花の包装用飾り紙である。
【０００７】
請求項２に記載の考案は、請求項１に記載の考案において、仏花の包装用飾り紙に金色の色の塗布層を設けたことを特徴とするものである。
【０００８】
請求項３に記載の考案は、請求項１又は請求項２に記載の考案において、飾り紙は、長方形、正方形等であることを特徴とするものである。
【０００９】
請求項４に記載の考案は、請求項１又は請求項２に記載の考案において、飾り紙は、仏花が挿入されるように予め筒型に形成されていることを特徴とするものである。
【考案の効果】
【００１０】
請求項１に記載の考案によれば、仏花は撥水性、又は防水性の包装用飾り紙で包まれた状態で、販売店において水入れ容器に入れて陳列され、且つ、仏壇の水入れ容器に立てられて供えられることができる。
【００１１】
請求項２記載の考案によれば、包装用飾り紙は金色に形成されているために、仏花を包装用飾り紙で包んで、仏壇に供えた際に、違和感なく、仏壇に馴染むことができる。
【００１２】
請求項３に記載の考案によれば、長方形、又は正方形の包装用飾り紙を筒状に丸め込んで、仏花を包むことができる。
【００１３】
請求項４に記載の考案によれば、飾り紙は、仏花が挿入されるように予め筒型に形成されているために、仏花を筒内に差し込むようにして、包装用飾り紙で仏花を包むことができる。
【考案を実施するための最良の形態】
【００１４】
図１は仏花１の包装用飾り紙２の展開図を示す。包装用飾り紙２は、正方形、長方形等の形状に形成されるが、以下の実施形態では正方形に形成された場合について説明する。
【００１５】
前記包装用飾り紙２は金色、銀色等の色が付されている。包装用飾り紙２は、撥水性や防水性を有した色付きの紙材で形成される。又、包装用飾り紙２には、金色等の色の塗布層を設けることで、包装用飾り紙２に色つけをすることも可能である。包装用飾り紙２は、アルミ箔等で形成されることができる。又、包装用飾り紙２は、ポリプロピレンで成形することができ、更には、土壌中の微生物で分解されて土に帰ることのできる素材で成形することも可能である。
【００１６】
図１に示すように、包装用飾り紙２は、二つの向かい合う角部３，３の近傍に絵柄表示部４，４が設けられている。絵柄表示部４には例えば、蓮の花や釈迦如来等の図柄が記載されている。
【００１７】
次に、作用について説明する。包装用飾り紙２の角部３を図１中矢示、Ａ方向へ丸めることによって包装用飾り紙２を筒状に丸め込んで、ホッチキス、粘着テープ等によって、包装用飾り紙２のこの形態を維持する。次に、図３に示すように、筒状に丸まった包装用飾り紙２内へ仏花１を挿入することで、包装用飾り紙２によって仏花１を包み込む。
【００１８】
図３に示す場合は、釈迦如来の図柄が包装用飾り紙２の正面に位置した場合を示す。仏花は図３に示す状態で、販売店に陳列されて販売される。包装用飾り紙２は撥水性や防水性を有しているために、仏花１は包装用飾り紙で包み込まれた状態で、水入りの花立てに立てられることができる。
【００１９】
そして、この仏花１を購入した消費者は、包装用飾り紙２で包まれた仏花１をそのまま自宅の仏壇の花立てに立てる。包装用飾り紙２は金色であり、更に、釈迦如来の図柄が正面に位置しているために、仏壇に違和感なく馴染むことができる。又、包装用飾り紙２は撥水性、防水性の素材で形成されているために、仏花１が花立てに立てられても、包装用飾り紙２は花立ての水によって型くずれを起こすことなく、その形態を維持することができる。
【００２０】
図４は、蓮の花の図柄が包装用飾り紙２の正面になるように、包装用飾り紙２を筒状に丸め込んで、仏花１を包んだ状態を示す。このように、蓮の花や釈迦如来の図柄や文字等を自由に選択して、包装用飾り紙２の正面に位置させることができる。
【００２１】
以上の説明においては、包装用飾り紙２の図柄表示部４に、蓮の花、釈迦如来の図柄を表示した場合について説明したが、包装用飾り紙２の図柄表示部４には、他に様々な図柄や文字等を表示することができる。
【００２２】
図５、図６は第２実施形態を示す。この第２実施形態の特徴は、包装用飾り紙２が予め筒状に形成されており、筒内に仏花１を挿入することによって、仏花１が包装用飾り紙２で包み込まれることができる。
【００２３】
尚、図柄や文字はシールを添付するよにすることも可能である。
【図面の簡単な説明】
【００２４】
【図１】図１は、仏花の包装用飾り紙を展開した状態を示す平面図である。（第１実施形態）
【図２】図２は、仏花の包装用飾り紙を筒状に丸め込む途中の状態を示す図である。（第１実施形態）
【図３】図３は、仏花の包装用飾り紙で仏花を包み込んだ状態を示す図である。（第１実施形態）
【図４】図４は、仏花の包装用飾り紙で仏花を包み込んだ状態を示す図である。（第１実施形態）
【図５】図５は、第２実施形態を示す図である。
【図６】図６は、第２実施形態を示す図である。
【図７】図７は背景技術を示す図である。
【符号の説明】
【００２５】
１  仏花
２  包装用飾り紙
４  図柄表示部
【図１】
0003144961.tif 000003
【図２】
0003144961.tif 000004
【図３】
0003144961.tif 000005
【図４】
0003144961.tif 000006
【図５】
0003144961.tif 000007
【図６】
0003144961.tif 000008
【図７】
0003144961.tif 000009